(57)【要約】【課題】圃場面からの段差が大きい畦際の道路や足場の悪い畦際等において、乗用型移植機のオペレータや補助作業者が重量の重い燃料補給用タンクを持ちながら移動しなくても、走行機体の前方から後部に亘って予備苗を移送することができる予備苗移送台を利用して燃料タンクへの燃料補給が容易に行えるようにする。【解決手段】燃料タンク９へ燃料を補給する燃料補給用タンク３３を予備苗移送台５上に載置した状態で、該予備苗移送台５を燃料タンク９側に姿勢変更できるように構成した。【選択図】図２
2009225699.tif 000002
【特許請求の範囲】
【請求項１】
走行機体（４）の前部に備えるエンジン（Ｅ）の上方に燃料タンク（９）の給油口（９ａ）を配設すると共に、走行機体（４）の側部に走行機体（４）の前方から後部に亘って予備苗を滑動させて移送可能な予備苗移送台（５）を設けた移植機において、前記燃料タンク（９）へ燃料を補給する燃料補給用タンク（３３）を予備苗移送台（５）上に載置した状態で、該予備苗移送台（５）を燃料タンク（９）側に姿勢変更できるように構成したことを特徴とする移植機。
【請求項２】
前記予備苗移送台（５）に燃料補給用タンク（３３）の滑動停止手段（３４）を設けた請求項１に記載の移植機。
【発明の詳細な説明】
【技術分野】
【０００１】
本発明は、走行機体の側部に走行機体の前方から後部に亘って予備苗を移送することができる予備苗移送台を設けた移植機に関する。
【背景技術】
【０００２】
従来の乗用型移植機では、走行機体の前部にエンジンを覆うボンネットを備えており、このボンネットの上部に燃料タンクを内蔵している。そして、ボンネットと燃料タンクの左右両側方に上下複数段の苗台を有する補助苗載台を設けると共に、その最上段の苗台を１８０度反転可能に支持部材に支承し、燃料タンクへ燃料を補給する際は最上段の苗台を機体側に１８０度反転することによって、最上段の苗台を燃料補給用タンクの載置台として兼用できるように構成したものが知られている（例えば、特許文献１参照）。
【特許文献１】実開平４−７７７１６号公報（第１図−第３図）
【発明の開示】
【発明が解決しようとする課題】
【０００３】
ところが、上述した特許文献１のもでは、最上段の苗台を機体側に１８０度反転させて燃料補給用タンクの載置台として兼用する際は、補助作業者またはオペレータが重量の重い燃料補給用タンクを持ちながら、圃場面からの段差が大きい畦際の道路や足場の悪い畦際等を移動して、当該載置台上まで燃料補給用タンクを運ばなければならず十分な労力軽減効果が得られていなかった。
【課題を解決するための手段】
【０００４】
本発明は、上記課題を解決することを目的としたものであって、走行機体の前部に備えるエンジンの上方に燃料タンクの給油口を配設すると共に、走行機体の側部に走行機体の前方から後部に亘って予備苗を滑動させて移送可能な予備苗移送台を設けた移植機において、前記燃料タンクへ燃料を補給する燃料補給用タンクを予備苗移送台上に載置した状態で、当該予備苗移送台を燃料タンク側に姿勢変更できるように構成したことを第一の特徴としている。
そして、前記予備苗移送台に燃料補給用タンクの滑動停止手段を設けたことを第二の特徴としている。
【発明の効果】
【０００５】
請求項１の発明によれば、作業中に燃料タンクへ燃料を補給する必要が生じた時は、移植機を畦際等に移動した後に補助作業者またはオペレータが予備苗移送台上に燃料補給用タンクを載置し、しかる後に予備苗移送台を燃料タンク側に姿勢変更すれば、予備苗移送台上に載置した燃料補給用タンクをボンネットの上部に配設されている燃料タンクに近接せしめることができ、それによって燃料補給用タンクから燃料タンクへ容易に燃料を補給することができると共に、圃場面からの段差が大きい畦際の道路や足場の悪い畦際等において、補助作業者やオペレータが重量の重い燃料補給用タンクを持ちながら移動しなくて済むので労力も軽減される。
請求項２の発明によれば、前記予備苗移送台に燃料補給用タンクの滑動停止手段を設けたことによって、予備苗移送台上を滑動する燃料補給用タンクを燃料タンクに近接する適切な位置で停止させることができるので作業性が向上する。
【発明を実施するための最良の形態】
【０００６】
次に、本発明の実施形態を図面に基づいて説明する。図１及び図２は、乗用移植機である乗用型田植機１の側面図と平面図であって、この乗用型田植機１は、左右一対の前輪２及び後輪３に支持された走行機体４を有し、その左右一側（本実施例では左側）には、走行機体４の前方から後部に亘って延設される折畳み式の予備苗移送台５を配設すると共に、他側（右側）には、上下に多段の予備苗台６を備える予備苗載せ台７を設けている。
【０００７】
そして、走行機体４の前部には、ボンネット８で覆われるエンジンＥを搭載すると共に、ボンネット８の上部には、燃料タンク９を配設してある。更にボンネット８の後方には、ステアリングホイール１１、運転操作パネル１２、及び主変速レバー１３等を備えた操縦部１４と、この操縦部１４の床面を形成するステップ１５、座席１６を支持する機体カバー１７を設けている。尚、機体カバー１７には、座席１６後方の左右両側に、前記ステップ１５より一段高い平坦な苗供給用ステップ１７ａ，１７ａを形成している。
【０００８】
また、走行機体４の後方には、昇降リンク機構１８を介して植付作業機１９を昇降自在に連結している。植付作業機１９は、前高後低状に傾斜して設けた苗載せ台２１と、該苗載せ台２１から苗を掻取って植え付ける複数の植付杆２２を備えた移植装置２３と、この移植装置２３の下方には、植付け田面を整地するフロート２４等を設けているが、これらの基本的な構成は何れも従来通りであり詳細な説明を省略する。
【０００９】
そして、ボンネット８の左右両側に形成されているフロントステップ２５Ｌ，２５Ｒのうち、左側のフロントステップ２５Ｌの後部下方には、走行機体４から外側方に延出させた１本の支持パイプからなる支柱２６を立ち上げると共に、この支柱２６に回転自在に内嵌する支持バー２７の上部に前高後低状のステー２８を形成することによって、該ステー２８の上部に折畳み式の予備苗移送台５を構成する固定移送台５ａを螺設できるように構成している。
【００１０】
更に固定移送台５ａの前側と後側には、この固定移送台５ａに対して回動可能な第１可動移送台５ｂと第２可動移送台５ｃとを連結してあり、予備苗移送台５は、図１及び図２に示すように、各移送台５ａ，５ｂ，５ｃが側面視で前高後低の略一直線状に展開される展開姿勢状態と第１可動移送台５ｂと第２可動移送台５ｃとが固定移送台５ａの上方に折畳まれた図示しない格納姿勢状態とに姿勢変更できるようになっている。
【００１１】
尚、予備苗移送台５が展開姿勢状態にある時は、第１可動移送台５ｂは、ボンネット８より高い位置に展開して走行機体４の前端から大きく突出するので、圃場面Ｓからの段差が大きい畦際の道路Ｒや畦等から当該予備苗移送台５へ予備苗（マット苗）を補給する際の作業性がよい。また、第２可動移送台５ｃの終端は、苗供給用ステップ１７ａ，１７ａの上方近傍に位置するので、第２可動移送台５ｃから苗載せ台２１への予備苗の供給がスムーズに行える。
【００１２】
また、予備苗移送台５を構成する固定移送台５ａ、第１可動移送台５ｂ、及び第２可動移送台５ｃは、軽量部材であるアルミ合金製の左右の外枠３１，３１、またはポリアミド（ナイロン）等の熱可塑性樹脂を用いて射出成形した左右の外枠３１´，３１´の間に、所定の前後間隔で複数の転動ローラ３２を取り付けたローラコンベアの形態を採用している。
【００１３】
そして、圃場面Ｓからの段差が大きい畦際の道路Ｒや畦等から予備苗移送台５に予備苗を補給する際は、先ず走行機体４の前端から大きく突出する第１可動移送台５ｂを畦際に進入させ、しかる後に予備苗が育苗されている図示しない方形状の苗箱、あるいは苗箱に育苗されている予備苗を苗スクレーパで掬い取った状態で、予備苗移送台５の複数の転動ローラ３２上を機体後方に向けて滑らせることによって、当該予備苗を畦際から連続的に予予備苗移送台５上に補給することができるようになっている。
【００１４】
また、予備苗移送台５上には、上述した予備苗と同様に圃場面Ｓからの段差が大きい畦際の道路Ｒや畦等から、燃料タンク９へ燃料を補給する際に用いる燃料補給用タンク３３も載置することができる。この場合も、先ず走行機体４の前端から大きく突出する第１可動移送台５ｂを畦際に進入させ、しかる後に燃料補給用タンク３３を第１可動移送台５ｂ上に載置して、該第１可動移送台５ｂに備える複数の転動ローラ３２上を図１にＡ矢印で示す如く機体後方に向けて滑らせればよい。
【００１５】
そして、予備苗移送台５を構成する固定移送台５ａの前後方向略中間部には、燃料補給用タンク３３の不要な滑動を防止する滑動停止手段、言い換えると予備苗移送台５上を滑動する燃料補給用タンク３３を燃料タンク９に近接する適切な位置で停止させるべく、側面視でＬ字状の断面形状を有する起伏自在なストッパプレート３４を横設している。
【００１６】
更に詳しくは、ストッパプレート３４の左右両端部における内曲げ部には、図３（ａ）及び図３（ｂ）に示すように、ストッパプレート３４を、グロメット３５を介して図中Ｅ矢印方向に回動自在に支持する支持プレート３６を固設してある。そして、ストッパプレート３４の回り止め部材を兼ねる横パイプ３７の両端に固設した左右の側板３８Ｌ，３８Ｒを、固定移送台５ａを構成する左右の外枠３１（３１´）の内側にボルト４１，４２を用いて螺設すると共に、左右の側板３８Ｌ，３８Ｒを外枠３１（３１´）に螺設する後側のボルト４２によって、前記グロメット３５を介装した支持プレート３６を支持しており、それにより上述のストッパプレート３４に適当な回動抵抗を付与しながら、当該ストッパプレート３４を図中実線で示すストッパ作用姿勢と二点鎖線で示すストッパ解除姿勢とに容易に起伏（姿勢変更）させることができる。
【００１７】
以上説明したように、折畳み式の予備苗移送台５を構成する第１可動移送台５ｂ上に載置した燃料補給用タンク３３を機体後方に向けて滑らせ、その後部が固定移送台５ａのストッパプレート３４と当接した状態になったなら、支柱２６に回転自在に内嵌する支持バー２７を回動（旋回）支点として、折畳み式の予備苗移送台５を構成する第１可動移送台５ｂの先端側を図２にＢ矢印で示す如く機体中心方向へ回動させる。すると、固定移送台５ａと第１可動移送台５ｂに亘って位置する燃料補給用タンク３３の給油口３３ａが、乗用型移植機１の燃料タンク９の給油口９ａと平面視で接近すると共に、燃料補給用タンク３３の給油口３３ａが乗用型移植機１の燃料タンク９の給油口９ａよりも高い位置にあるので、図示するように給油ポンプ４６を用いて燃料補給用タンク３３から燃料タンク９へ容易に燃料を補給することができる。
【００１８】
即ち、植付作業中に燃料タンク９へ燃料を補給する必要が生じた時は、乗用型移植機１を畦際等に移動した後に補助作業者またはオペレータが予備苗移送台５上に燃料補給用タンク３３を載置し、しかる後に予備苗移送台５を燃料タンク９側に姿勢変更（回動）すれば、予備苗移送台５上に載置した燃料補給用タンク６をボンネット８の上部に配設されている燃料タンク９に近接せしめることができ、それによって燃料補給用タンク３３から燃料タンク３へ容易に燃料を補給することができると共に、圃場面からの段差が大きい畦際の道路Ｒや足場の悪い畦際等において、補助作業者やオペレータが重量の重い燃料補給用タンク３３を持ちながら移動しなくて済むので労力も軽減される。そして、前記予備苗移送台５に燃料補給用タンク３３の滑動停止手段としてのストッパプレート３４を設けたことによって、予備苗移送台５上を滑動する燃料補給用タンク３３を燃料タンク９に近接する適切な位置で停止させることができるので作業性が向上する。
【図面の簡単な説明】
【００１９】
【図１】乗用型田植機の側面図。
【図２】乗用型田植機平面図。
【図３】（ａ），（ｂ）ストッパプレートの構成を示す側面図と平面図。
【符号の説明】
【００２０】
４    走行機体
５    予備苗移送台
９    燃料タンク
３３  燃料補給用タンク
３４  滑動停止手段
Ｅ    エンジン
【図１】
2009225699.tif 000003
【図２】
2009225699.tif 000004
【図３】
2009225699.tif 000005